(57)【特許請求の範囲】
【請求項１】
特定の照明光の下で、表示装置が出力する特定色の輝度特性を測定する光検出装置であって、
前記照明光の色成分と前記特定色の色成分とを分離する光分離手段と、
表示装置用の演算子を用いて、前記分離された特定色の色成分に対する前記光検出装置の出力を、デバイスに依存しない座標系の値に変換するための表示装置用変換手段と、
前記表示装置用の演算子とは異なる照明用の演算子を用いて、前記分離された照明光の色成分に対する前記光検出装置の出力を、デバイスに依存しない座標系の値に変換するための照明用変換手段と、
を備え、
前記表示装置用変換手段が使用するデバイスに依存しない座標系と、前記照明用変換手段が使用するデバイスに依存しない座標系とは同じものであり、
前記分離された特定色の色成分の座標系と前記分離された照明光の色成分の座標系とが、前記表示装置用変換手段が使用するデバイスに依存しない座標系とは異なるものである、
光検出装置。
【請求項２】
請求項１に記載の光検出装置であって、
前記光分離手段が、表示装置に黒を出力させたときの輝度特性を、表示装置が出力する特定色の輝度特性から減算することを用いて、前記照明光の色成分と前記特定色の色成分とを分離する光検出装置。
【請求項３】
請求項１または２に記載の光検出装置であって、
前記表示装置用の演算子は、表示装置にＲＧＢを出力させたときに前記光検出装置の出力とデバイスに依存しない座標系の値とを測定して得られた対応関係から求めた行列である、光検出装置。
【請求項４】
請求項１乃至３のいずれか一項に記載の光検出装置であって、
前記照明用の演算子は、複数種類の照明光についての前記光検出装置の出力とデバイスに依存しない座標系の値とを測定して得られた対応関係と、表示装置に黒を出力させたときに前記光検出装置の出力とデバイスに依存しない座標系の値とを測定して得られた対応関係と、から求めた行列である、光検出装置。
【請求項５】
請求項１乃至４のいずれか一項に記載の光検出装置であって、
前記表示装置用変換手段によって変換されたデバイスに依存しない座標系の値と、前記照明用変換手段によって変換されたデバイスに依存しない座標系の値とを和演算する、光検出装置。
【請求項６】
請求項１乃至５のいずれか一項に記載の光検出装置であって、
前記デバイスに依存しない座標系の値がＸＹＺである、光検出装置。
【請求項７】
特定の照明光の下で、表示装置が出力する特定色の輝度特性を測定する光検出方法であって、
前記照明光の色成分と前記特定色の色成分とを分離する光分離工程と、
表示装置用の演算子を用いて、前記分離された特定色の色成分に対する前記光検出装置の出力を、デバイスに依存しない座標系の値に変換するための表示装置用変換工程と、
前記表示装置用の演算子とは異なる照明用の演算子を用いて、前記分離された照明光の色成分に対する前記光検出装置の出力を、デバイスに依存しない座標系の値に変換するための照明用変換工程と、
を備え、
前記表示装置用変換工程が使用するデバイスに依存しない座標系と、前記照明用変換工程が使用するデバイスに依存しない座標系とは同じものであり、
前記分離された特定色の色成分の座標系と前記分離された照明光の色成分の座標系とが、前記表示装置用変換工程が使用するデバイスに依存しない座標系とは異なるものである、
光検出方法。
【請求項８】
特定の照明光の下で、表示装置が出力する特定色の輝度特性を測定する光検出処理をコンピュータに実行させるためのプログラムであって、
前記照明光の色成分と前記特定色の色成分とを分離する光分離処理と、
表示装置用の演算子を用いて、前記分離された特定色の色成分に対する前記光検出装置の出力を、デバイスに依存しない座標系の値に変換するための表示装置用変換処理と、
前記表示装置用の演算子とは異なる照明用の演算子を用いて、前記分離された照明光の色成分に対する前記光検出装置の出力を、デバイスに依存しない座標系の値に変換するための照明用変換処理と、
をコンピュータに実行させるためのプログラムであり、
前記表示装置用変換処理が使用するデバイスに依存しない座標系と、前記照明用変換処理が使用するデバイスに依存しない座標系とは同じものであり、
前記分離された特定色の色成分の座標系と前記分離された照明光の色成分の座標系とが、前記表示装置用変換処理が使用するデバイスに依存しない座標系とは異なるものである、
プログラム。
【請求項９】
特定の照明光の下で、表示装置が出力する特定色の輝度特性を測定する光検出処理をコンピュータに実行させるためのプログラムを記録したコンピュータによって読取可能な記録媒体であって、
前記照明光の色成分と前記特定色の色成分とを分離する光分離処理と、
表示装置用の演算子を用いて、前記分離された特定色の色成分に対する前記光検出装置の出力を、デバイスに依存しない座標系の値に変換するための表示装置用変換処理と、
前記表示装置用の演算子とは異なる照明用の演算子を用いて、前記分離された照明光の色成分に対する前記光検出装置の出力を、デバイスに依存しない座標系の値に変換するための照明用変換処理と、
をコンピュータに実行させるためのプログラムを記録したコンピュータによって読取可能な記録媒体であり、
前記表示装置用変換処理が使用するデバイスに依存しない座標系と、前記照明用変換処理が使用するデバイスに依存しない座標系とは同じものであり、
前記分離された特定色の色成分の座標系と前記分離された照明光の色成分の座標系とが、前記表示装置用変換処理が使用するデバイスに依存しない座標系とは異なるものである、
記録媒体。
【請求項１０】
入力された画像信号に基づいて画像の投影表示を行うプロジェクタであって、
当該プロジェクタが、特定の照明光の下で、プロジェクタが出力する特定色の輝度特性を測定する光検出装置を備え、
当該光検出装置が、
前記照明光の色成分と前記特定色の色成分とを分離する光分離手段と、
プロジェクタ用の演算子を用いて、前記分離された特定色の色成分に対する前記光検出装置の出力を、デバイスに依存しない座標系の値に変換するためのプロジェクタ用変換手段と、
前記プロジェクタ用の演算子とは異なる照明用の演算子を用いて、前記分離された照明光の色成分に対する前記光検出装置の出力を、デバイスに依存しない座標系の値に変換するための照明用変換手段と、
を有しており、前記プロジェクタ用変換手段が使用するデバイスに依存しない座標系と、前記照明用変換手段が使用するデバイスに依存しない座標系とは同じものであり、前記分離された特定色の色成分の座標系と前記分離された照明光の色成分の座標系とが、前記プロジェクタ用変換手段が使用するデバイスに依存しない座標系とは異なるものである、プロジェクタ。
【発明の詳細な説明】
【０００１】
【発明の属する技術分野】
本発明は、光検出装置、より具体的には、より高精度な測定が可能な光検出装置、光検出方法、プログラムおよび記録媒体に関する。
【０００２】
【従来の技術】
プロジェクタなどの画像表示装置を用いる場合、使用環境が変化しても製作者の意図した画像を再現できることが重要である。このような画像の見えを調整する考え方として、デバイスの入出力特性を管理して色を再現するカラーマネージメントという考え方がある。このように、適切な色再現を行うためには、光センサを用いて検出された使用環境の変化（例えば、外部照明の明るさや色の変化）を考慮する必要がある。
【０００３】
プロジェクタに光センサを設けて、当該光センサを用いて使用環境の情報を取得する場合、プロジェクタ全体としてのコストが増大することを防ぐため、あまり高価な光センサを使用することはできない。このような光センサとしては、例えば、フォトダイオードにＲＧＢのフィルタを重ねた３チャンネルの光センサを使用することになる。この場合、光センサのＲＧＢ出力を三刺激値ＸＹＺに変換する必要がある。従来は、プロジェクタのＲＧＢ出力を前記光センサと高精度の輝度計とを用いて測定し、その対応関係から変換用の３×３マトリックスを求め、当該マトリックスを用いてＲＧＢからＸＹＺへの変換を行うことが一般的である。
【０００４】
【発明が解決しようとする課題】
しかしながら、上記方法によれば、プロジェクタの出力に対しては精度よくＲＧＢからＸＹＺへ変換できるものの、照明の分光分布がプロジェクタのそれとは異なる。このため、照明に関しては前記マトリックスと同一のマトリックスを用いてもＲＧＢからＸＹＺへの変換を精度よく行うことは困難である。
【０００５】
本発明は、上記問題点を解決するためになされたもので、より高精度な測定が可能な光検出装置、光検出方法、プログラムおよび記録媒体を提供することを課題とする。
【０００６】
【課題を解決するための手段】
上記課題に鑑み、請求項１に記載の発明は、特定の照明光の下で、表示装置が出力する特定色の輝度特性を測定する光検出装置であって、前記照明光の色成分と前記特定色の色成分とを分離する光分離手段と、表示装置用の演算子を用いて、前記分離された特定色の色成分に対する前記光検出装置の出力を、デバイスに依存しない座標系の値に変換するための表示装置用変換手段と、前記表示装置用の演算子とは異なる照明用の演算子を用いて、前記分離された照明光の色成分に対する前記光検出装置の出力を、デバイスに依存しない座標系の値に変換するための照明用変換手段と、を備え前記表示装置用変換手段が使用するデバイスに依存しない座標系と、前記照明用変換手段が使用するデバイスに依存しない座標系とは同じものであり、前記分離された特定色の色成分の座標系と前記分離された照明光の色成分の座標系とが、前記表示装置用変換手段が使用するデバイスに依存しない座標系とは異なるものであるように構成される。
【０００７】
本発明による、特定の照明光の下で表示装置が出力する特定色の輝度特性を測定する光検出装置によれば、光分離手段によって、前記照明光の色成分と前記特定色の色成分とが分離される。そして、表示装置用変換手段によって、表示装置用の演算子を用いて、前記分離された特定色の色成分に対する前記光検出装置の出力が、デバイスに依存しない座標系の値に変換される。また、照明用変換手段によって、前記表示装置用の演算子とは異なる照明用の演算子を用いて、前記分離された照明光の色成分に対する前記光検出装置の出力が、デバイスに依存しない座標系の値に変換される。このように、表示装置用の演算子と照明用演算子とを独立に用いてＲＧＢから光検出装置の出力への変換を行っているので、表示装置の出力と照明光とが重なった色に対してもより高精度な測定が可能となる。なお、表示装置用変換手段が使用するデバイスに依存しない座標系と、照明用変換手段が使用するデバイスに依存しない座標系とは同じものである。また、前記分離された特定色の色成分の座標系と前記分離された照明光の色成分の座標系とが、前記表示装置用変換手段が使用するデバイスに依存しない座標系とは異なるものである。
【０００８】
請求項２に記載の発明は、請求項１に記載の光検出装置であって、前記光分離手段が、表示装置に黒を出力させたときの輝度特性を、表示装置が出力する特定色の輝度特性から減算することを用いて、前記照明光の色成分と前記特定色の色成分とを分離するように構成される。
【０００９】
請求項３に記載の発明は、請求項１または２に記載の光検出装置であって、前記表示装置用の演算子は、表示装置にＲＧＢを出力させたときに前記光検出装置の出力とデバイスに依存しない座標系の値とを測定して得られた対応関係から求めた行列であるように構成される。
【００１０】
請求項４に記載の発明は、請求項１乃至３のいずれか一項に記載の光検出装置であって、前記照明用の演算子は、複数種類の照明光についての前記光検出装置の出力とデバイスに依存しない座標系の値とを測定して得られた対応関係と、表示装置に黒を出力させたときに前記光検出装置の出力とデバイスに依存しない座標系の値とを測定して得られた対応関係と、から求めた行列であるように構成される。
【００１１】
請求項５に記載の発明は、  請求項１乃至４のいずれか一項に記載の光検出装置であって、前記表示装置用変換手段によって変換されたデバイスに依存しない座標系の値と、前記照明用変換手段によって変換されたデバイスに依存しない座標系の値とを和演算するように構成される。
【００１２】
請求項６に記載の発明は、請求項１乃至５のいずれか一項に記載の光検出装置であって、前記デバイスに依存しない座標系の値がＸＹＺであるように構成される。
【００１３】
請求項７に記載の発明は、特定の照明光の下で、表示装置が出力する特定色の輝度特性を測定する光検出方法であって、前記照明光の色成分と前記特定色の色成分とを分離する光分離工程と、表示装置用の演算子を用いて、前記分離された特定色の色成分に対する前記光検出装置の出力を、デバイスに依存しない座標系の値に変換するための表示装置用変換工程と、前記表示装置用の演算子とは異なる照明用の演算子を用いて、前記分離された照明光の色成分に対する前記光検出装置の出力を、デバイスに依存しない座標系の値に変換するための照明用変換工程と、を備え、前記表示装置用変換工程が使用するデバイスに依存しない座標系と、前記照明用変換工程が使用するデバイスに依存しない座標系とは同じものであり、前記分離された特定色の色成分の座標系と前記分離された照明光の色成分の座標系とが、前記表示装置用変換工程が使用するデバイスに依存しない座標系とは異なるものであるように構成される。
【００１４】
請求項８に記載の発明は、特定の照明光の下で、表示装置が出力する特定色の輝度特性を測定する光検出処理をコンピュータに実行させるためのプログラムであって、前記照明光の色成分と前記特定色の色成分とを分離する光分離処理と、表示装置用の演算子を用いて、前記分離された特定色の色成分に対する前記光検出装置の出力を、デバイスに依存しない座標系の値に変換するための表示装置用変換処理と、前記表示装置用の演算子とは異なる照明用の演算子を用いて、前記分離された照明光の色成分に対する前記光検出装置の出力を、デバイスに依存しない座標系の値に変換するための照明用変換処理と、をコンピュータに実行させるように構成されており、前記表示装置用変換処理が使用するデバイスに依存しない座標系と、前記照明用変換処理が使用するデバイスに依存しない座標系とは同じものであり、前記分離された特定色の色成分の座標系と前記分離された照明光の色成分の座標系とが、前記表示装置用変換処理が使用するデバイスに依存しない座標系とは異なるものであるように構成されている。
【００１５】
請求項９に記載の発明は、特定の照明光の下で、表示装置が出力する特定色の輝度特性を測定する光検出処理をコンピュータに実行させるためのプログラムを記録したコンピュータによって読取可能な記録媒体であって、前記照明光の色成分と前記特定色の色成分とを分離する光分離処理と、表示装置用の演算子を用いて、前記分離された特定色の色成分に対する前記光検出装置の出力を、デバイスに依存しない座標系の値に変換するための表示装置用変換処理と、前記表示装置用の演算子とは異なる照明用の演算子を用いて、前記分離された照明光の色成分に対する前記光検出装置の出力を、デバイスに依存しない座標系の値に変換するための照明用変換処理と、をコンピュータに実行させるためのプログラムを記録したコンピュータによって読取可能な記録媒体であり、前記表示装置用変換処理が使用するデバイスに依存しない座標系と、前記照明用変換処理が使用するデバイスに依存しない座標系とは同じものであり、前記分離された特定色の色成分の座標系と前記分離された照明光の色成分の座標系とが、前記表示装置用変換処理が使用するデバイスに依存しない座標系とは異なるものである記録媒体である。
請求項１０に記載の発明は、入力された画像信号に基づいて画像の投影表示を行うプロジェクタであって、当該プロジェクタが、特定の照明光の下で、プロジェクタが出力する特定色の輝度特性を測定する光検出装置を備え、当該光検出装置が、前記照明光の色成分と前記特定色の色成分とを分離する光分離手段と、プロジェクタ用の演算子を用いて、前記分離された特定色の色成分に対する前記光検出装置の出力を、デバイスに依存しない座標系の値に変換するためのプロジェクタ用変換手段と、前記プロジェクタ用の演算子とは異なる照明用の演算子を用いて、前記分離された照明光の色成分に対する前記光検出装置の出力を、デバイスに依存しない座標系の値に変換するための照明用変換手段と、を有しており、前記プロジェクタ用変換手段が使用するデバイスに依存しない座標系と、前記照明用変換手段が使用するデバイスに依存しない座標系とは同じものであり、前記分離された特定色の色成分の座標系と前記分離された照明光の色成分の座標系とが、前記プロジェクタ用変換手段が使用するデバイスに依存しない座標系とは異なるものであるように構成される。
【００１６】
【発明の実施の形態】
以下、図面を参照して、本発明の好適な実施の形態について説明する。
【００１７】
システム構成
図１に、本発明にかかる光検出装置としての光センサ６０を備えるプロジェクタ２０を用いたシステムの概略説明図を示す。
【００１８】
スクリーン１０のほぼ正面に設けられたプロジェクタ２０から、所定の画像が投影される。この場合、照明器具５０からの外部照明８０によってスクリーン１０に投影された画像の見え方は大きく異なってしまう。例えば、同じ白を表示する場合であっても、外部照明８０の強度によっては明るい白に見えたり、暗い白に見えたりする。
【００１９】
図２に、本発明の実施形態にかかる光センサ６０を備えるプロジェクタ２０内の画像処理部１００の機能ブロック図を示す。
【００２０】
図２に示すプロジェクタ２０内の画像処理部１００は、アナログ形式の画像入力信号をデジタル信号に変換するＡ／Ｄ変換部１１０と、一次元色補正テーブルを各ＲＧＢ画像入力信号に対して適用して所望の色補正を行う色補正部１２０と、デジタル信号をアナログ信号に変換するためのＤ／Ａ変換部１３０と、液晶ライトバルブを駆動して画像の投影表示を行うためのＬ／Ｖ（ライトバルブ）駆動部１４０と、デバイス（プロジェクタ）の特性を保存するためのデバイス特性保存用メモリ１６０と、色補正テーブル生成部１５０と、を備える。そして、本発明にかかる光センサ６０がプロジェクタおよび外部照明のスクリーンによる反射光の輝度を測定すると、色補正テーブル生成部１５０が、デバイス特性保存用メモリ１６０に保存されたデバイス特性と光センサ６０の測色値とに基づき外部照明の影響を考慮した色補正テーブルを生成する。
【００２１】
光センサ６０の構成
次に、図３を参照して、本発明の実施形態にかかる光センサ６０の構成を説明する。
【００２２】
図３に示す光センサ６０は、測定対象光を３種類のフィルタを重ねた光センサで受光して、それぞれに対応した３種類の値（以下「ＬＭＳ値」とする）を出力する受光部６０ａと、同一の測定対象光を受光部６０ａによって測定した値ＬＭＳと輝度計７０によって測定した値ＸＹＺ（デバイスに依存しない座標系の値）との対応関係を記録するＬＭＳ／ＸＹＺ記録部６０ｅと、ＬＭＳ／ＸＹＺ記録部６０ｅに記録されたＬＭＳとＸＹＺとの対応関係に基づき表示装置用変換行列Ｍｄを計算するための表示装置用変換行列Ｍｄ計算部６０ｃと、ＬＭＳ／ＸＹＺ記録部６０ｅに記録されたＬＭＳとＸＹＺとの対応関係に基づき照明用変換行列Ｍｉを計算するための照明用変換行列Ｍｉ計算部６０ｄと、表示装置用変換行列Ｍｄおよび照明用変換行列Ｍｉを参照して受光部６０ａから出力されたＬＭＳ値をＸＹＺ値に変換するＬＭＳ／ＸＹＺ変換部６０ｂと、を備えて構成される。ＬＭＳ／ＸＹＺ変換部６０ｂは、さらに光分離手段６０ｆと、表示装置用変換部６０ｇと、照明用変換部６０ｈとを備えて構成される。
【００２３】
光センサ６０による光検出処理
次に、図４を参照して、本発明の実施形態にかかる光センサ６０における処理を説明する。なお、以下に説明する光センサ６０における処理は、光センサ６０のプログラム格納部（図示せず）に記録されたプログラムを実行することによって行われる。前記プログラム格納部は、プログラムを記録した媒体を構成する。さらに、当該処理プログラム自体も、本願発明の範囲内に包含される。
【００２４】
図４に示すように、まず、表示装置（プロジェクタ）のＲ(赤)Ｇ(緑)Ｂ(青)Ｋ(黒)と代表的な数種類（少なくとも２種類）の照明について、対象の光センサ６０によってＬＭＳ値を測定するとともに、三刺激値を測定可能な輝度計７０によってＸＹＺ値を測定する（Ｓ１０）。代表的な照明としては、白熱灯、白色蛍光灯、昼白色蛍光灯、昼光などが挙げられる。そして、これらの対応関係がＬＭＳ／ＸＹＺ対応記録部６０ｅに記録される（Ｓ１２）。ＬＭＳ／ＸＹＺ対応記録部６０ｅに記録される対応関係の一例を表１に示す。
【００２５】
【表１】
0003800326.tif 000002
そして、表１に示すような対応関係に基づき、表示装置用変換行列Ｍｄ計算部６０ｃにおける処理（Ｓ１４）および照明用変換行列Ｍｉ計算部６０ｄにおける処理（Ｓ１６）が行われた後、ＬＭＳ／ＸＹＺ変換部６０ｂにおける処理が行われる（Ｓ１８）。Ｓ１４、Ｓ１６およびＳ１８における処理に関しては、以下で詳細に説明する。
【００２６】
(1)  表示装置用変換行列Ｍｄ計算部６０ｃにおける処理
図５に、本発明の一実施形態にかかる光センサ６０の表示装置用変換行列Ｍｄ計算部６０ｃにおける処理を説明するためのフローチャートを示す。
【００２７】
図５に示すように、表示装置用変換行列Ｍｄ計算部６０ｃは、まず表示装置用変換行列Ｍｄを求める（Ｓ２０）。表示装置用変換行列Ｍｄは、
【００２８】
【数１】
0003800326.tif 000003
のように定義され、表１に示す表示装置のＲＧＢＫについてのセンサ測定値および輝度計測定値の対応関係より、
【００２９】
【数２】
0003800326.tif 000004
となる。式(2)より、表示装置用変換行列Ｍｄ（表示装置用の演算子）は、
【００３０】
【数３】
0003800326.tif 000005
と求まる。
【００３１】
このようにして求められた表示装置用変換行列Ｍｄは、ＬＭＳ／ＸＹＺ変換部６０ｂに供給され（Ｓ２２）、図７に示すＬＭＳ／ＸＹＺ変換部６０ｂにおける処理へ移行する。
【００３２】
(2)  照明用変換行列Ｍｉ計算部６０ｄ
図６に、本発明の一実施形態にかかる光センサ６０の照明用変換行列Ｍｉ計算部６０ｄにおける処理を説明するためのフローチャートを示す。
【００３３】
図６に示すように、照明用変換行列Ｍｉ計算部６０ｄは、まず照明用変換行列Ｍｉ（照明用の演算子）を求める（Ｓ３０またはＳ３２）。
【００３４】
ｎ＝２のとき、すなわち、測定対象の照明が２種類のとき、
【００３５】
【数４】
0003800326.tif 000006
より照明用変換行列Ｍｉを求め（Ｓ３０）、ｎ≧３のとき、すなわち、測定対象の照明が３種類以上のとき、
【００３６】
【数５】
0003800326.tif 000007
より照明用変換行列Ｍｉを求める（Ｓ３２）。ここで、
【００３７】
【数６】
0003800326.tif 000008
であり、ｎは照明の数を表す。
【００３８】
このようにして求められた照明用変換行列Ｍｉは、ＬＭＳ／ＸＹＺ変換部６０ｂに供給され（Ｓ３４）、図７に示すＬＭＳ／ＸＹＺ変換部６０ｂにおける処理へ移行する。
【００３９】
(3)  ＬＭＳ／ＸＹＺ変換部６０ｂにおける処理
図７に、本発明の一実施形態にかかる光センサ６０のＬＭＳ／ＸＹＺ変換部６０ｂにおける処理を説明するためのフローチャートを示す。
【００４０】
図７に示すように、ＬＭＳ／ＸＹＺ変換部６０ｂの光分離手段６０ｆは、まず表示装置でＫ（黒）を出力したときのセンサ出力値Ｌ0Ｍ0Ｓ0を測定するとともに（Ｓ４０）、測定対象の色（特定色）のセンサ出力値ＬＭＳを測定する（Ｓ４２）。ここで、表示装置でＫ（黒）を出力したときのセンサ出力値Ｌ0Ｍ0Ｓ0は、表示装置の黒の出力と照明光との和と考えられるので、前記特定色の色成分は、
（Ｌ−Ｌ0,Ｍ−Ｍ0,Ｓ−Ｓ0）
となる。このようにして、前記特定色の色成分が分離される。
【００４１】
次に、表示装置用変換部６０ｇは、表示装置用変換行列Ｍｄ計算部６０ｃで求められた行列Ｍｄを用いて（Ｌ−Ｌ0,Ｍ−Ｍ0,Ｓ−Ｓ0）をＸＹＺ値に変換し、照明用変換部６０ｈは、照明用変換行列Ｍｉ計算部６０ｄで求められた行列Ｍｉを用いて（Ｌ0,Ｍ0,Ｓ0）をＸＹＺ値に変換する。そして、表示装置用変換部６０ｇによって変換されたＸＹＺ値と、照明用変換部６０ｈによって変換されたＸＹＺ値とを和演算することによって、測定しようとしている色の三刺激値ＸＹＺが求められる。すなわち、測定しようとしている色の三刺激値ＸＹＺは、
【００４２】
【数７】
0003800326.tif 000009
によって求められる（Ｓ４４）。
【００４３】
このようにして、本発明の一実施形態にかかる光センサ６０を用いて光検出を行えば、表示装置用変換行列Ｍｄと照明用変換行列Ｍｉとを用いてＲＧＢからＬＭＳへの変換を行っているので、プロジェクタの出力と照明光とが重なった色に対してもより高精度な測定が可能となる。
【図面の簡単な説明】
【図１】本実施形態の一例にかかるプロジェクタ２０を用いたシステムの概略説明図である。
【図２】本発明の一実施形態にかかる光センサ６０を備えるプロジェクタ２０内の画像処理部の機能ブロック図である。
【図３】本発明の一実施形態にかかる光センサ６０の機能ブロック図である。
【図４】本発明の一実施形態にかかる光センサ６０における処理を説明するためのフローチャートである。
【図５】本発明の一実施形態にかかる光センサ６０の表示装置用変換行列Ｍｄ計算部６０ｃにおける処理を説明するためのフローチャートである。
【図６】本発明の一実施形態にかかる光センサ６０の照明用変換行列Ｍｉ計算部６０ｄにおける処理を説明するためのフローチャートである。
【図７】本発明の一実施形態にかかる光センサ６０のＬＭＳ／ＸＹＺ変換部６０ｂにおける処理を説明するためのフローチャートである。
【符号の説明】
１０  スクリーン
２０  プロジェクタ
５０  照明器具
６０  光センサ
６０ａ  受光部
６０ｂ  ＬＭＳ／ＸＹＺ変換部
６０ｃ  表示装置用変換行列Ｍｄ計算部
６０ｄ  照明用変換行列Ｍｉ計算部
６０ｅ  ＬＭＳ／ＸＹＺ記録部
７０  輝度計
８０  外部照明
１００  画像処理部
１１０  Ａ／Ｄ変換部
１２０  色補正部
１３０  Ｄ／Ａ変換部
１４０  Ｌ／Ｖ駆動部
１５０  色補正テーブル生成部
【図１】
0003800326.tif 000010
【図２】
0003800326.tif 000011
【図３】
0003800326.tif 000012
【図４】
0003800326.tif 000013
【図５】
0003800326.tif 000014
【図６】
0003800326.tif 000015
【図７】
0003800326.tif 000016